【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
遊技の演出を行なう演出装置を備え、遊技において特定の条件が成立したときに、遊技者にとって有利な特定遊技状態に制御される遊技機であって、
日時を特定可能とする計時を行なう計時手段と、
遊技の進行を制御し、前記演出装置を制御するための演出制御コマンドを送信する遊技制御手段と、
該遊技制御手段から送信された前記演出制御コマンドに基づいて所定の演出態様により前記演出装置の制御を行なう演出制御手段とを備え、
前記演出制御手段は、
前記計時手段の計時により特定される日時が所定の日時となったか否かを判定する日時判定手段と、
該日時判定手段により前記所定の日時となったと判定されたことに基づいて、前記演出装置における演出態様を変更する演出態様変更手段と、
前記演出制御コマンドが入力されるコマンド入力手段とを含み、
該コマンド入力手段は、前記計時手段の計時に用いられる日時の標準値を示す日時標準値コマンドを入力可能であり、
前記演出制御手段は、前記コマンド入力手段から前記日時標準値コマンドが入力されたときに、当該日時標準値コマンドが示す日時の標準値に基づいて、前記計時手段による計時値を標準値に設定する日時設定手段をさらに含むことを特徴とする、遊技機。
【請求項２】
前記遊技制御手段は、遊技において特別の条件が成立したときに、前記特定遊技状態とは異なる遊技者にとって有利な特別遊技状態に制御する特別遊技状態制御手段を含み、
前記演出制御手段は、
前記計時手段の計時により特定される日時が、予め定められた日時から所定期間内であるか否かを判定する所定期間判定手段と、
前記特別遊技状態に制御されているときに予め定められた特別演出を実行するか否かを決定する特別演出決定手段とを含み、
該特別演出決定手段は、前記所定期間判定手段により前記所定期間内であると判定されたときと、前記所定期間判定手段により前記所定期間外であると判定されたときとで、前記特別遊技状態に制御されているときに前記特別演出を実行するか否かを異なる割合で決定することを特徴とする、請求項１に記載の遊技機。
【請求項３】
前記演出制御手段は、前記演出装置による遊技の演出について、一の状況に対して複数の演出態様を有し、該複数の演出態様からいずれかの演出態様を選択する演出態様選択手段をさらに含み、
遊技者による前記演出態様を選択する指示を受付ける選択受付手段をさらに備え、
前記演出態様選択手段は、前記選択受付手段が受付けた指示に応じて、前記複数の演出態様のうちからいずれかの演出態様を選択するとともに、予め定められた日時から前記計時手段の計時により特定される日時までの期間の長さに応じて、選択可能な演出態様を増加させることを特徴とする、請求項１または２に記載の遊技機。
【請求項４】
前記演出制御手段は、前記演出装置による遊技の演出について、予め定められた日時からの経過時間に基づいて複数に分けられた期間において、関連する演出を実行する関連演出実行手段をさらに含み、
該関連演出実行手段は、少なくとも第１の演出態様と第２の演出態様とを含む第１の期間と、該第１の期間後の期間であって、少なくとも第３の演出態様と第４の演出態様とを含む第２の期間とにおいて、前記第１の演出態様と前記第３の演出態様とが関連し、前記第２の演出態様と前記第４の演出態様とが関連する演出を実行することを特徴とする、請求項１から３のいずれかに記載の遊技機。
【請求項５】
前記演出装置は、各々が識別可能な複数種類の識別情報の変動表示を行なって表示結果を導出表示し、前記特定遊技状態に制御される前記特定の条件が成立するときに、変動表示の表示結果として予め定められた特定表示結果を導出表示する変動表示装置を含み、
前記遊技制御手段は、前記特定遊技状態に制御するか否かを前記変動表示の表示結果を導出表示する前に決定する事前決定手段をさらに含み、
前記演出制御手段は、
リーチ演出を行なうときに、前記事前決定手段により前記特定遊技状態に制御することが決定されたときに、前記事前決定手段により前記特定遊技状態に制御しないことが決定されたときと比べて高い割合で選択される特別のリーチ演出を含む複数種類のリーチ演出のうちから、リーチ演出の種類を選択するリーチ演出選択手段と、
前記計時手段の計時により特定される日時が、予め定められた日時から特定期間内であるか否かを判定する特定期間判定手段とをさらに含み、
前記リーチ演出選択手段は、前記特定期間判定手段により前記特定期間内であると判定されたときと、前記特定期間判定手段により前記特定期間外であると判定されたときとで、前記特別のリーチ演出を異なる割合で選択することを特徴とする、請求項１から４のいずれかに記載の遊技機。
【請求項６】
前記コマンド入力手段は、前記日時標準値コマンドを出力するコマンド出力装置が接続可能であり、
前記日時設定手段は、前記コマンド出力装置から出力された前記日時標準値コマンドが前記コマンド入力手段から入力されたときに、当該日時標準値コマンドが示す日時の標準値に基づいて、前記計時手段による計時値を標準値に設定することを特徴とする、請求項１から５のいずれかに記載の遊技機。
【請求項７】
前記演出制御手段は、
前記遊技機が稼動を開始したか否かを判定する稼動開始判定手段と、
該稼動開始判定手段により稼動を開始したと判定された稼動開始日時を記憶する記憶手段とをさらに含み、
前記稼動開始判定手段は、前記遊技制御手段から前記演出制御手段に送信される前記演出制御コマンドに基づいて、遊技機が稼動を開始したか否かを判定することを特徴とする、請求項１から６のいずれかに記載の遊技機。
【請求項８】
前記演出制御手段は、
前記演出装置における演出態様を変更する日時として前記日時判定手段により判定される前記所定の日時よりも所定期間前の日時である所定期間前日時を特定する所定期間前日時特定手段と、
前記計時手段の計時により特定される日時が前記所定期間前日時となったか否かを判定する所定期間前日時判定手段と、
該所定期間前日時判定手段により前記計時手段の計時により特定される日時が前記所定期間前日時と一致したと判定されたことに基づいて、前記所定の日時に前記演出装置における演出態様が変更されることを特定可能に報知する予告演出を行なう予告手段とを含むことを特徴とする、請求項１から７のいずれかに記載の遊技機。
【手続補正２】
【補正対象書類名】明細書
【補正対象項目名】００１１
【補正方法】変更
【補正の内容】
【００１１】
（３）  前記演出制御手段は、前記演出装置による遊技の演出について、一の状況（変動表示装置９で基本画面および演出画像が表示される状況）に対して複数の演出態様（図１２に示される山演出、海演出、街演出という演出の種類）を有し、該複数の演出態様からいずれかの演出態様を選択する演出態様選択手段（図３２のＳ４２６、図３３のＳ４５１〜Ｓ４５４）をさらに含み、
遊技者による前記演出態様を選択する指示を受付ける選択受付手段（図４の選択ボタン３５８）をさらに備え、
前記演出態様選択手段は、前記選択受付手段が受付けた指示に応じて、前記複数の演出態様のうちからいずれかの演出態様を選択する（図３３のＳ４５１〜Ｓ４５４）とともに、予め定められた日時から前記計時手段の計時により特定される日時までの期間の長さに応じて、選択可能な演出態様を増加させる（図１１（ａ）の稼動期間別演出選択情報テーブルにより、稼動開始日からの時間経過に応じて選択可能な演出種類が増加し、図３３のＳ４５１により選択可能な演出種類が表示される）。
【手続補正３】
【補正対象書類名】明細書
【補正対象項目名】００１７
【補正方法】変更
【補正の内容】
【００１７】
（６）  前記コマンド入力手段は、前記日時標準値コマンドを出力するコマンド出力装置（図５の標準日時データ出力装置３００）が接続可能であり（図５）、
前記日時設定手段は、前記コマンド出力装置から出力された前記日時標準値コマンドが前記コマンド入力手段から入力されたときに、当該日時標準値コマンドが示す日時の標準値に基づいて、前記計時手段による計時値を標準値に設定する（図３８のＳ６０１〜Ｓ６０３）。